(57)【要約】【課題】有線通信による遠隔操作装置と無線通信による遠隔操作装置の両方の操作により動作可能な投射型表示装置において操作性を向上させること【解決手段】有線リモコン１２が接続部７に接続されている場合、赤外線リモコン優先モードである場合に（Ｓ３０３）赤外線リモコン１１から赤外線受光センサ６が受信した信号をそれに従った動作を行うために受け付けるが（Ｓ３０７）、赤外線リモコン優先モードではない場合には信号を破棄する受信制御部８と、を有することを特徴とする。【選択図】図１
2014006386.tif 000002
【特許請求の範囲】
【請求項１】
有線通信による第１の遠隔操作装置および無線通信による第２の遠隔操作装置の両方の操作により動作可能であり、画像を投射する投射型表示装置であって、
前記第１の遠隔操作装置が接続されて前記第１の遠隔操作装置から第１の信号を受信する第１の受信手段と、
前記第２の遠隔操作装置から無線で第２の信号を受信する第２の受信手段と、
前記第１の遠隔操作装置が前記第１の受信手段が接続されている場合、所定の条件が満足されている場合には前記第２の遠隔操作装置から前記第２の受信手段が受信した前記第２の信号をそれに従った動作を行うために受け付けるが、前記所定の条件が満足されていない場合には前記第２の受信手段が受信した前記第２の信号を破棄する受信制御手段と、
を有することを特徴とする投射型表示装置。
【請求項２】
前記投射型表示装置の設置または保守点検のために使用される第１のモードと、前記投射型表示装置の設置および保守点検以外のために使用される第２のモードを設定するモード設定手段を更に有し、
前記所定の条件は、前記モード設定手段によって前記第２のモードが設定されていることを含むことを特徴とする請求項２に記載の投射型表示装置。
【請求項３】
前記所定の条件は、前記第２の信号を受け付ける命令を取得したことを含むことを特徴とする請求項２に記載の投射型表示装置。
【請求項４】
前記投射型表示装置の設置または保守点検のために使用される第１のモードと、前記投射型表示装置の設置および保守点検以外のために使用される第２のモードを設定するモード設定手段を更に有し、
前記受信制御手段は、前記第１の遠隔操作装置が前記第１の受信手段に接続され、かつ、前記モード設定手段によって前記第１のモードが設定されている場合には、前記第２の受信手段が受信した前記第２の信号を破棄することを特徴とする請求項１乃至３のうちいずれか１項に記載の投射型表示装置。
【請求項５】
前記画像を投射する投射光学系と、
前記投射型表示装置の設置または保守点検のために使用される第１のモードと、前記投射型表示装置の設置および保守点検以外のために使用される第２のモードを設定するモード設定手段と、
を更に有し、
前記受信制御手段は、前記第１の遠隔操作装置が前記第１の受信手段に接続され、かつ、前記モード設定手段によって前記第１のモードが設定されている場合には、前記第２の信号が前記画像の色調整、前記投射光学系の駆動および前記画像のエッジブレンド調整を変更する操作を含む所定の操作に関するものであるときにこれを破棄し、前記第２の信号が前記所定の操作に関するものではないときにはこれをそれに従った動作のために受け付けることを特徴とする請求項１乃至４項のうちいずれか１項に記載の投射型表示装置。
【請求項６】
可動レンズを有して前記画像を投射する投射光学系を更に有し、
前記所定の条件は、前記第２の信号が前記画像の色調整、前記投射光学系の駆動および前記画像のエッジブレンド調整を変更する操作を含む操作に関するものではないことを更に含むことを特徴とする請求項１に記載の投射型表示装置。
【発明の詳細な説明】
【技術分野】
【０００１】
本発明は、投射型表示装置に関する。
【背景技術】
【０００２】
特許文献１は、１台のプロジェクタに対して第１、第２のリモートコントローラ（以下、「リモコン」と称する）が付属されているシステムを開示している。第１のリモコンは、無線／有線通信機能を備え、プロジェクタの全機能を操作可能であり、第２のリモコンは、プロジェクタの一部の機能を操作可能である。
【先行技術文献】
【特許文献】
【０００３】
【特許文献１】特開２０１０−７４６０７号公報
【発明の概要】
【発明が解決しようとする課題】
【０００４】
特許文献１はいずれかのリモコンを使用することを前提としており、有線リモコンが接続された場合に無線リモコンを操作する状況を想定していない。仮に、有線リモコンを接続すると赤外線リモコンからの信号を受け付けないように構成するなど、一つのリモコンからの制御信号のみを受け付けるとするとリモコンのユーザはリモコンの故障を疑うなど、操作性の低下を感じる。一方で、全リモコンからの信号を受け付ければ、同室で複数台のプロジェクタを保守点検する保守者が無線リモコンを操作することによって調整済のプロジェクタの設定が意図せずに変更されてしまうという問題が発生し、同様に、操作性の低下を感じる。
【０００５】
本発明は、有線通信による遠隔操作装置と無線通信による遠隔操作装置の両方の操作により動作可能な投射型表示装置において操作性に優れた投射型表示装置を提供することを例示的な目的とする。
【課題を解決するための手段】
【０００６】
本発明の投射型表示装置は、有線通信による第１の遠隔操作装置および無線通信による第２の遠隔操作装置の両方の操作により動作可能であり、画像を投射する投射型表示装置であって、前記第１の遠隔操作装置が接続されて前記第１の遠隔操作装置から第１の信号を受信する第１の受信手段と、前記第２の遠隔操作装置から無線で第２の信号を受信する第２の受信手段と、前記第１の遠隔操作装置が前記第１の受信手段が接続されている場合、所定の条件が満足されている場合には前記第２の遠隔操作装置から前記第２の受信手段が受信した前記第２の信号をそれに従った動作を行うために受け付けるが、前記所定の条件が満足されていない場合には前記第２の受信手段が受信した前記第２の信号を破棄する受信制御手段と、を有することを特徴とする。
【発明の効果】
【０００７】
本発明によれば、有線通信による遠隔操作装置と無線通信による遠隔操作装置の両方の操作により動作可能な投射型表示装置において操作性を向上させることができる。
【図面の簡単な説明】
【０００８】
【図１】本実施形態の投射型表示装置のブロック図である。
【図２】図１に示す投射型表示装置の動作を説明するためのフローチャートである。
【図３】図２に示すＳ２０の一例を示すフローチャートである。
【図４】図２に示すＳ３０の一例を示すフローチャートである。
【図５】図２に示すＳ２０の別の例を示すフローチャートである。
【図６】本実施形態である使用形態を判定する処理を示すフローチャートである。
【発明を実施するための形態】
【０００９】
図１は、本実施形態にかかわるプロジェクタ１のブロック図である。プロジェクタ１は、有線リモコン１２および赤外線リモコン１１の両方の操作により動作可能であり、画像を不図示の被投射面（スクリーンなど）に投射する。
【００１０】
プロジェクタ１は、映像信号処理回路２、パネル駆動回路３、液晶パネル４、レンズ駆動回路５、赤外線受光センサ６、接続部７、受信制御部８、ＭＰＵ９、モード設定手段１０、操作パネル１３、接続検出部１４を有する。
【００１１】
入力映像信号は映像信号処理回路２にてゲインやオフセット、色調整などの輝度・色信号処理や解像度変換やフレームレート変換、キーストンなどの画像処理などが施される。その後、パネル駆動回路３にて表示パネル４の仕様にあった信号形態に変換され、表示される。表示パネル４に表示された画像は図示しない照明光学系によってスクリーン等に拡大投影される。レンズ駆動回路５は、拡大投影するため可動レンズを含む投射光学系のズーム、フォーカス、シフト駆動を行う。
【００１２】
赤外線受光センサ６は、赤外線リモコン１１から無線で信号（第２の信号）を受信するセンサ（第２の受信手段）である。なお、本実施形態では、無線通信による第２の遠隔操作装置の一例として赤外線リモコンを挙げているが、媒体は電波、光など特に限定されない。
【００１３】
接続部７は、有線リモコン１２（有線通信による第１の遠隔操作装置）またはそれに接続されたケーブルのコネクタが接続されて有線リモコン１２から信号（第１の信号）を受信する接続部（第１の受信手段）である。
【００１４】
受信制御部８は、赤外線受光センサ６と接続部７が受信した信号をそれに従った動作を行うために受け付けるか破棄するかを行う後述する受信制御手段としての機能を有する。受信制御部８は、ＭＰＵ９と一体（ＭＰＵ９の一部）であってもよい。
【００１５】
ＭＰＵ９は、操作パネル１３や受信制御部８からの要求に応じて、映像信号処理回路２に対して映像に関する処理の変更、もしくはレンズ駆動回路５に対してレンズ駆動の命令を発行するプロセッサ（マイクロコンピュータ）である。また、受信制御部８による信号の受付または破棄の動作を制御するため、ＭＰＵ９も受信制御手段として機能する。
【００１６】
モード設定手段１０は、ユーザの操作に従って（あるいは後述するように自動的に）受信制御部８のために２つのモードを設定し、設定されたモードをＭＰＵ９に通知する。本実施形態では、モード設定手段１０は、プロジェクタ１の設置または保守点検のために使用される設置モード（第１のモード）と、プロジェクタ１の設置および保守点検以外のために使用される通常モード（第２のモード）を設定する。設置モード（保守モード）は保守者によって使用され、通常モードは画像を投射する通常のユーザによって使用される。但し、モード設定手段１０は必須ではない。ＭＰＵ９はモード設定手段１０で選択されたモードに応じて、以下に示す処理フローに沿って、受信制御部８に指令を送る。
【００１７】
操作パネル１３は、ユーザが各種の設定（例えば、投射レンズのズーム、フォーカス、レンズシフトの設定、設定モードにおける内部テストパターンの表示）を行う。また、操作パネル１３は表示部を有しており、各種の表示を行う。
【００１８】
接続検出部１４は、有線リモコン１２が接続部７に接続されているかどうかを検出し、検出結果を受信制御部８に送る。
【００１９】
図２は、ＭＰＵ９が受信制御部８に対して指令を送る際のフローを示しており、「Ｓ」は「ステップ（工程）」の略であり、これは他の図でも同様である。まず、電源がオンになり、ＭＰＵ９のリセットが解除され、起動されると（Ｓ１０）、モード設定手段１０から現在のモードの情報を取得して（Ｓ１１）モードを判定する（Ｓ１２）。設置モードであればフローはＳ２０に移行し、通常モードであればフローはＳ３０に移行する。
【００２０】
図３は、受信制御部８で実施されるＳ２０の処理の一例を示すフローチャートである。
【００２１】
まず、受信制御部８は、接続検出部１４からの検出結果に基づいて有線リモコン１２が接続部７に接続されているかどうかを判断する（Ｓ２１）。有線リモコン１２が接続部７に接続されていなければ（Ｓ２１のＮＯ）、フローはＳ３０に移行する（図２のＳ２０からＳ３０への矢印）。一方、受信制御部８は、有線リモコン１２が接続部７に接続されていれば（Ｓ２１のＹＥＳ）リモコン信号を受信したかどうかを判定する（Ｓ２２）。リモコン信号の受信は有線でも無線でもよい。受信制御部８はリモコン信号が受信されるまで待機する（Ｓ２２のＮＯ）。
【００２２】
リモコン信号が受信されると（Ｓ２２のＹＥＳ）、受信制御部８は、リモコン信号の種類を判定する（Ｓ２３）。受信制御部８は、リモコン信号が赤外線リモコン１１からの第２の信号であれば（Ｓ２３のＮＯ）、これを破棄する（Ｓ２６）。一方、受信制御部８は、リモコン信号が有線リモコン１２からの第１の信号であれば（Ｓ２３のＹＥＳ）、これを解析して（Ｓ２４）、対応する操作（コマンド）を実行する（Ｓ２５）。その後、フローはＳ２１に戻る。Ｓ２４では、リモコン信号からヘッダ信号や所定のベンダーコードを識別し、自分宛の指令であるかどうかの解析を行う。Ｓ２５は受信制御部８が行う場合もあるし、受信制御部８がその結果をＭＰＵ９に通知してＭＰＵ９が実行する場合もある。
【００２３】
図４は、受信制御部８で実施されるＳ３０の処理の一例を示すフローチャートである。
【００２４】
まず、受信制御部８は、リモコン信号を受信したかどうかを判定する（Ｓ３１）。リモコン信号の受信は有線でも無線でもよい。受信制御部８はリモコン信号の受信があるまで待機する（Ｓ３１のＮＯ）。
【００２５】
リモコン信号が受信されると（Ｓ３１のＹＥＳ）、受信制御部８は、リモコン信号の種類を判定する（Ｓ３２）。受信制御部８は、リモコン信号が赤外線リモコン１１からの第２の信号であれば（Ｓ３２のＮＯ）、赤外線リモコン優先モードが受信制御部８（またはＭＰＵ９）の内部で設定されているかどうかを判断する（Ｓ３３）。
【００２６】
設定されていなければ（Ｓ３３のＮＯ）、受信制御部８は、接続検出部１４からの検出結果に基づいて有線リモコン１２が接続部７に接続されているかどうかを判断する（Ｓ３４）。有線リモコン１２が接続部７に接続されていれば（Ｓ３４のＹＥＳ）、受信制御部８は、ＭＰＵ９にその旨を知らせる。これに応答して、ＭＰＵ９は操作パネル１３の表示部に、有線リモコン１２が接続されているが、赤外線リモコン１１からの信号を受け付けるかどうかを問い合わせるメッセージを表示する（Ｓ３５）。メッセージを表示する代わりにランプを点灯（点滅）させたり、メッセージの音声を発したりしてもよい。このメッセージによってユーザは有線リモコン１２が接続されていることを思い出し、赤外線リモコン１１による操作は好ましくないと感じればその使用をやめることができる。
【００２７】
これに応答して、ユーザは赤外線リモコン１１を操作して、赤外線リモコン１１からの信号を受け付けるか（ＯＫ）、赤外線リモコン１１からの信号を破棄するか（ＮＯ）を入力する。ユーザはこの入力を、操作パネル１３を操作することによって行ってもよいし、有線リモコン１２を通じて（Ｓ３２のＹＥＳ）行ってもよい。
【００２８】
受信制御部８は、赤外線リモコン１１からの第２の信号を受け付ける命令を取得すると（Ｓ３６のＹＥＳ）、受信制御部８（またはＭＰＵ９）の内部メモリに赤外線リモコン優先モードのフラグを立てる（Ｓ３７）。この結果、赤外線リモコン優先モードが設定される。一方、受信制御部８は、赤外線リモコン１１からの第２の信号を破棄する命令を取得すると（Ｓ３６のＮＯ）、第２の信号を破棄し（Ｓ３８）、フローはＳ３１に戻る。
【００２９】
受信制御部８は、リモコン信号が有線リモコン１２からの第１の信号である場合（Ｓ３２のＮＯ）、赤外線リモコン優先モードが設定されていれる場合（Ｓ３３のＹＥＳ）、または、Ｓ３７の後で、その第２の信号を解析する（Ｓ３９）。Ｓ３９では、リモコン信号からヘッダ信号や所定のベンダーコードを識別し、自分宛の指令であるかどうかの解析を行う。その後、受信制御部８またはＭＰＵ９は対応する操作（コマンド）を実行し（Ｓ４０）、フローはＳ３１に戻る。
【００３０】
本実施形態によれば、設置モードでは、有線リモコン１２が接続部７に接続されていなければ通常モードに切り替わり、有線リモコン１２が接続部７に接続されている場合には、赤外線リモコン１１を使用することができない。プロジェクタの設置や保守点検においては有線リモコンが使用される場合が多い。このため、同室で複数台のプロジェクタを保守点検する保守者が無線リモコンを操作することによって調整済のプロジェクタの設定が意図せずに変更されてしまうという問題を回避することができる。
【００３１】
一方、通常モードでは、有線リモコン１２が接続部７に接続されていなければ、Ｓ３４のＮＯからＳ３７で赤外線リモコン優先モードが設定されるため、常に赤外線リモコンからの第２の信号が受け付けられてそれに従った動作がなされる。また、有線リモコン１２が接続部７に接続されて所定の条件が満足されれば赤外線リモコン１１を有効にされ、第２の信号が受け付けられてそれに従った動作がなされるが、所定の条件が満足されていない場合には第２の信号は破棄される。即ち、ユーザは、有線リモコン１２が接続されていることを思い出して有線リモコン１２だけを有効にしたいと思いなおせば赤外線リモコン１１を無効にすることができる。これにより、通常モード時の操作性を向上することができる。
【００３２】
なお、所定の条件が、モード設定手段１０によって通常モードが設定されていることを含むかどうかは選択的である。有線リモコン１２が接続部７に接続されている場合に所定の条件が満足されれば赤外線リモコン１１を有効にすることができるので操作性が向上するからである。
【００３３】
図５は、図２に示すＳ２０の別の例を示すフローチャートであり、図３と同一のステップには同一の参照符号を付して説明を省略する。図５では、リモコン信号が赤外線リモコン１１からの第２の信号である場合に（Ｓ２３でＮＯ）、受信制御部８は、これを直ちに破棄せずに、それを解析し（Ｓ２７）、所定のコマンドかどうかを判断する（Ｓ２８）。所定のコマンドであれば（Ｓ２８のＹＥＳ）、受信制御部８はリモコン信号を破棄し（Ｓ２６）、所定のコマンドでなければ（Ｓ２８のＮＯ）、受信制御部８またはＣＰＵ９はコマンドを実行する（Ｓ２９）。所定のコマンドは、例えば、色調整、レンズ駆動、エッジブレンド調整に関する項目であり、設置時に一度設置完了した後に他から変更されるのが好ましくない項目のコマンド群のことである。これによって、保守者による設定が意図せずに変更されることを防止することができる。なお、エッジブレンド調整とは、映像信号にデジタル的にグラディエーションをかけて重なり領域を均一にする技術をいう。
【００３４】
なお、設置モードと通常モードの設定を自動的に行ってもよい。例えば、図６は、その例を示すフローチャートである。電源がオンになると（Ｓ５０）、ＭＰＵ９のリセットが解除されてＭＰＵ９が起動し（Ｓ５１）、ＭＰＵ９は受信制御部８から、有線リモコン１２が接続されたかどうかの情報を取得する（Ｓ５２）。ＭＰＵ９は、有線リモコン１２が接続されると（Ｓ５２のＹＥＳ）、モード設定手段１０を介して設置モードを設定し、赤外線リモコン１１が接続されると（Ｓ５２のＮＯ）、モード設定手段１０を介して通常モードを設定する。
【００３５】
また、上記とは異なり、ユーザが操作パネル１３によりモードを決定してもよい。
【００３６】
以上、本発明の好ましい実施形態について説明したが、本発明はこれらの実施形態に限定されず、その要旨の範囲内で種々の変形及び変更が可能である。
【産業上の利用可能性】
【００３７】
投射型表示装置は液晶プロジェクタの用途に適用することができる。
【符号の説明】
【００３８】
１…プロジェクタ（投射型表示装置）、６…赤外線受光センサ（第２の受信手段）、７…接続部（第１の受信手段）、８…受信制御部（受信制御手段）、９…ＭＰＵ（受信制御手段）、１０…モード設定手段、１１…赤外線リモコン（第２の遠隔操作装置）、１２…有線リモコン（第１の遠隔操作装置）
【図１】
2014006386.tif 000003
【図２】
2014006386.tif 000004
【図３】
2014006386.tif 000005
【図４】
2014006386.tif 000006
【図５】
2014006386.tif 000007
【図６】
2014006386.tif 000008